(57)【要約】  本発明は、プラスチック容器（１２）の容器壁（１３）に一体的に形成されたねじ付きネック（１１）にねじ保護器（１０）を配置するための固定装置に関し、ねじ保護器（１０）は、ねじ付きネック（１１）のねじ延長部（１５）に形成された外ねじ（１６）にねじ込むための内ねじ（１７）を有するねじフランジ（１８）を備えた保護器ハウジング（２０）を有し、容器壁（１３）とねじフランジ（１８）の間に固定リング（２８）が配置され、前記固定リング（２８）は、その内周面に配置されるとともに径方向内方を向くロック手段（３６）を形成するためのロック突起（３７）を有し、ロック手段（３６）は、容器（１２）に形成されたストッパ手段（４８）でロックするためのロック端が、直径Ｄがねじ付きネック（１１）の外ねじ（１６）の直径ｄより大きいかまたはその直径ｄと等しいロック円周（５３）に配置されている。
2021519733.tif 000002
【特許請求の範囲】
【請求項１】
プラスチック容器（１２）の容器壁（１３）に一体的に形成されたねじ付きネック（１１）にねじ保護器（１０）を配置するための固定装置であって、
ねじ保護器（１０）は、入口ネック（１９）にプラスチックの前記入口ネック（１９）と同心上に形成されたねじフランジ（１８）を備えた保護器ハウジング（２０）を有し、
ねじフランジ（１８）は、ねじ付きネック（１１）が入口ネック（１９）とねじフランジ（１８）の間に形成された環状のネック受け入れスペース（３３）に係合するように、ねじ付きネック（１１）のねじ延長部（１５）に形成された外ねじ（１６）に締め付けるための内ねじ（１７）を有し、
容器壁（１３）とねじフランジ（１８）との間に固定リング（２８）が配置され、固定リング（２８）は、ねじフランジ（１８）に固定するための固定手段と容器（１２）に接続するためのロック手段（３６）とを有し、前記固定リング（２８）は、その内周に配置されるとともに径方向内方を向くロック手段（３６）を形成するためのロック突起（３７）を有し、ロック手段（３６）は、容器（１２）に形成されたストッパ手段（４８）でロックするためのロック端（５２）が、直径Ｄがねじ付きネック（１１）の外ねじ（１６）の直径ｄより大きいかまたはその直径ｄと等しいロック円周（５３）に配置されている固定装置。
【請求項２】
請求項１の固定装置において、
ねじ付きネック（１１）の前端（３５）と接触するための軸方向ストッパ（３４）がネック受け入れスペース（３３）に形成されている
ことを特徴とする固定装置。
【請求項３】
請求項１または２の固定装置において、
ストッパ手段（４８）は、容器壁（１３）に隣接して形成されたねじ付きネック（１１）のネックベース（１４）に形成されている
ことを特徴とする固定装置。
【請求項４】
請求項３の固定装置において、
ネックベース（１４）は、容器壁（１３）からねじ付きネック（１１）のねじ延長部（１５）への移行領域に形成されたカラーとして実現され、前記カラーは、その円周上に分布する掛止突起を有し、各掛止突起は、ねじ保護器（１０）の長手方向の軸と実質的に平行に延びる掛止面（５１）を有する
ことを特徴とする固定装置。
【請求項５】
請求項４の固定装置において、
掛止突起は、ネックベース（１４）の外周から起ち上がって掛止面（５１）で掛止肩部を形成する傾斜面（５０）を有する掛止傾斜部（４９）として形成されている
ことを特徴とする固定装置。
【請求項６】
請求項１から５のいずれか１つの固定装置において、
ねじ付きネック（１１）の長さ、ねじ付きネック（１１）の外ねじ（１６）の構造、及びネックベース（１４）の外周における掛止突起（４３）の分布は、保護器ハウジングの軸方向ストッパ（３４）が所定のプレロード力でねじ付きネック（１１）の前端（３５）と接触するときに、固定リング（２８）のロック手段（３６）の少なくとも１つのロック突起（３７）が、掛止突起（４３）の掛止面（５１）の後方に弾性的に掛止するように選択される
ことを特徴とする固定装置。
【請求項７】
請求項１から６のいずれか１つの固定装置において、
径方向に作用するシール手段を形成するために、入口ネック（１９）の外壁(３２)によって形成される内側シール面（５６）と、ねじ付きネック（１１）の内壁（５７）によって形成される外側シール面（５８）とを備えるシール空間（５９）が形成され、シール空間（５９）は、内側シール面（５６）及び外側シール面（５８）と接触するようにシール空間（５９）に収容されるＯリングシール（３０）を備えている
ことを特徴とする固定装置。
【請求項８】
請求項７の固定装置において、
シール空間（５９）を形成するために、ねじ付きネック（１１）の前端（３５）の内側開口縁に周方向凹部（６０）が形成され、シール空間（５９）を軸方向に区画するとともに、ネック受け入れスペース（３３）の軸方向ストッパ（３４）と接触するストッパ面（６１）に対して軸方向にくぼんだ区画面（６２）が凹部（６０）によって形成されている
ことを特徴とする固定装置。
【請求項９】
請求項７または８の固定装置において、
内側シール面（５６）及び／または外側シール面（５８）は、シール空間（５９）の高さがねじ付きネック（１１）の方向へ小さくなるように軸方向へ円錐状に先細になっている
ことを特徴とする固定装置。
【請求項１０】
請求項１から９のいずれか１つの固定装置において、
固定手段は、固定リング（２８）の前面（４０）に形成されたドライバポケット(２９)を有し、前記前面（４０）はねじフランジ（２８）に面し、前記ドライバポケット（２９）は、ドライバタブ（２７）がドライバポケット（２９）と嵌合状態で係合するときにねじ保護器（１０）と固定リング（２８）が同軸上に配置されるように、ねじフランジ（１８）に形成されたドライバタブ（２７）に係合する
ことを特徴とする固定装置。
【請求項１１】
請求項１０の固定装置において、
固定リング（２８）は、ドライバポケット（２９）に加えて、ねじフランジ（１８）から固定リング（２８）に取り付け方向（３９）へのみトルクの伝達を許容する少なくとももう一つのドライバ要素（４１）を有する
ことを特徴とする固定装置。
【請求項１２】
請求項１１の固定装置において、
ドライバ要素（４１）は、ねじフランジ（１８）に形成され且つ軸方向にのびるドライバウェブ（４７）のウェブフランク（４６）と接触する径方向ストッパ面（４５）を有する
ことを特徴とする固定装置。
【請求項１３】
請求項１２の固定装置において、
ドライバ要素（４１）は、固定リング（２８）がねじフランジ(１８)に同軸上の取り付け位置に固定されるように、ねじフランジ（１８）に形成された適合する掛止要素（４４）と軸方向に掛止する掛止突起（４３）を有する
ことを特徴とする固定装置。
【請求項１４】
請求項１から１３のいずれか１つの固定装置において、
ドライバポケット（２９）は、固定リング(２８)に形成されたベース壁（６４）に所定の破断手段（６６，６７）を介して接続される可視壁（６４）が設けられるように、不正開封防止要素として構成され、ドライバポケット（２９）を構成するように、ねじフランジ（１８）のドライバタブ（２７）のための受け入れスペース（６５）がベース壁（６３）と可視壁（６４）の間に形成されている
ことを特徴とする固定装置。
【請求項１５】
請求項１４の固定装置において、
可視壁（６４）は、所定の破断手段（６６，６７）を介してベース壁（６３）に接続される少なくとも２つの可視壁部（６９，７０）を有し、ねじフランジ（１８）の取り外し方向（３８）の前方の可視壁部（６９）は、ドライバタブ（２７）のためのストッパエッジ（７１）を有し、取り外し方向（３８）の後方の可視壁部（７０）は取り外し方向（３８）に後続するねじフランジ（１８）のドライバウェブ（４７）のためのストッパエッジ（７８）を有する
ことを特徴とする固定装置。
【発明の詳細な説明】
【技術分野】
【０００１】
本発明は、プラスチック容器の容器壁と一体的に形成されたねじ付きネックにねじ保護器を配置するための固定装置に関し、ねじ保護器は、入口ネックに前記入口ネックと同心上に形成されたねじフランジを備えた保護器ハウジングを有し、ねじフランジは、ねじ付きネックが入口ネックとねじフランジの間に形成された環状のネック受け入れスペースに係合するように、ねじ付きネックのねじ延長部に形成された外ねじに締め付けるための内ねじを有し、容器壁とねじフランジの間に固定リングが配置され、固定リングは、ねじフランジに固定するための固定手段と容器に接続するためのロック手段とを有し、固定リングは、その内周に配置されるとともに径方向内方を向くロック手段を形成するためのロック突起を有し、ロック手段は、容器に形成されたストッパ手段でロックするためのロック端が、その直径がねじ付きネックの外ねじの直径よりも大きいかまたはその直径と等しいロック円周上に配置されている。
【背景技術】
【０００２】
ねじ保護器を配置するための固定装置は、一般に、容器にねじ保護器が設けられた後の操作、例えば容器または容器に保持された液体に適したねじ保護器が、適していないねじ保護器と置き換えられるような操作を阻止するために、容器用のねじ保護器とその容器との元々の関連性を保証する役割を有する。
【０００３】
一般に、この種の固定装置は、ねじ保護器を容器から力で取り外すのを阻止することはできないが、少なくとも部分的に壊すことによって何らかの望ましくない操作は可能になる固定リングとして設計される。
【０００４】
保護器ハウジングから独立して形成され、容器に形成されたねじ付きネックにねじ保護器を締め付けるユニオンナットを有する、従来から用いられているねじ保護器を取り付けるため、ねじ保護器の取り付け中に、固定リングをユニオンナットと容器の容器壁との間に配置する必要がある。これには、ねじ保護器の保護器ハウジングを所定位置に保持し、ユニオンナットを容器のねじ付きのねじ付きネックに締め付けるのに加えて、ねじ付きネックに形成されたストッパ手段でロックするロック突起を内周に有する固定リングを、ねじ付きネックのねじを横切ってねじ付きネック状でロック突起とともに軸方向に配置し、その後にのみねじ保護器を締め付けできるようにするために、それに対応する複雑な処理動作を伴う。
【発明の概要】
【発明が解決しようとする課題】
【０００５】
固定リングがねじ付きネック上に配置されると、ロック突起によって定められたロック円周の直径がねじ付きネックの外径よりも小さいことにより、ロック突起がねじ付きネックの外ねじのねじ山に少なくとも部分的に引っかかり、固定リングがねじ付きネック上で軸方向へ移動するときに、固定リングがねじ付きネック上で動かなくなる。
【０００６】
このように全体的に複雑な取り付けの作業は、取り付けロボットが保護器ハウジングをねじ付きネックと同軸上に配置した後に締め付け動作のみが行われる、固定リングが設けられたねじ保護器の自動化取り付けには適さない。
【０００７】
したがって、本発明の目的は、容器に自動的に装着されるような固定装置を備えたねじ保護器を可能にする、ねじ保護器の固定装置を提案することである。
【課題を解決するための手段】
【０００８】
前記目的を達成するために、本発明に係る固定装置は、請求項１の特徴を有する。
【０００９】
入口ネックに一体的に形成されたねじフランジを組み合わせ、ねじフランジが、保護器ハウジングに対する固定リングの位置が固定リングに形成された固定手段を介して定められるインレットネックから独立した構成要素でないことにより、そして、固定リングのロック円周の直径がねじ付きネックの外ねじの外径と等しいかまたはねじ付きネックの外径より大きく寸法設定されていることにより、本発明に係る固定装置によれば、ねじ保護器の保護器ハウジングを容器のねじ付きネックにねじ込むためにだけ扱うやり方で、ねじ付きネックに対する保護器ハウジングの必要な同軸配置を損ない得る固定リングの引っかかりを起こさずに、ねじ保護器を容器に取り付けることが可能である。
【００１０】
したがって、本発明に係る固定装置によれば、ねじ保護器の自動取り付けが可能になる。
【００１１】
ねじ付きネックの前端と接触するように構成された軸方向ストッパがネック受け入れスペースに形成されることが好ましく、このことにより、保護器ハウジングのネック受け入れスペースに形成される軸方向ストッパに対するねじ付きネックの前端の軸方向の衝撃により、径方向シール空間に作用するシール力とは関係なく、取り付け中に取り付けトルクを設定値にすることができる。したがって、所望の取り付けトルクに応じて、取り付けロボットによる自動取り付けが可能になる。
【００１２】
他の好ましい実施形態によれば、ストッパ手段がねじ付きネックのネックベースに形成され、前記ネックベースが容器壁に隣接して形成され、このことにより、プラスチック容器の製造に一般に用いられるブロー成形技術のような成形工程中に、ストッパ手段をねじ付きネックと一緒に製造できる
好ましくは、ネックベースは、容器壁からねじ付きネックのねじ延長部への移行領域に形成されるカラーとして構成され、前記カラーは、周方向に分散し且つそれぞれがねじ保護器の長軸と実質的に平行に延びる掛止面を有する掛止突起を備え、ねじ付きネックに対する固定リングの明確な相対位置が、掛止突起の後方に掛止する掛止突起によって定められる。
【００１３】
掛止突起が、ネックベースの外周から起ち上がり且つ掛止面とで掛止肩部を形成する傾斜面を有する掛止傾斜部として構成される場合、ロック突起は連続して大きくなる状態で変形するので掛止中に材料に優しい。
【００１４】
ねじ付きネックの長さ、ねじ付きネックの外ねじの構造、及びネックベースの円周上の掛止突起の分布は、保護器ハウジングの軸方向ストッパが所定のプレロード力でねじ付きネックの前端と接触したときに、固定リングの少なくとも一つのロック突起が掛止突起のストッパ面の後方に弾性的に掛止し、プレロード力はねじ付きネック上の固定リングのロック位置と関連するよう選択され、これにより、ねじ保護器をねじ付きネックに対して正確な位置に取り付けることができ、ねじ付きネック上のねじ保護器の位置が、所定の力を生じる取り付けトルクのみによって同時に効果的に固定されるる。特に、ねじ保護器の作動を許容するねじ保護器のバルブ軸を望ましい垂直方向に配置することを保証できる。
【００１５】
径方向に作用するシール手段を形成するために、入口ネックの外壁によって形成される内側シール面と、ねじ付きネックの内壁によって形成される外側シール面とを備えるシール空間を設け、シール空間に内側シール面及び外側シール面と接触するようにシール空間に収容されるＯリングシールを設けることが好ましく、その結果、ねじ保護器とねじ付きネックの間のプレロード力は、径方向に作用するシール手段により、シール手段には影響しない。
【００１６】
シール空間を形成するために、周方向凹部をねじ付きネックの前端の内側の開口縁に形成し、シール面を軸方向に区画するとともに、ネック受け入れスペースの軸方向ストッパと前端で接触するストッパ面に対して軸方向にくぼんだ区画面を凹部によって形成することが好ましい。したがって、必要であれば、Ｏリングシールを、ねじ保護器を取り付けるためにねじ付きネックに嵌合状態で挿入することができる。
【００１７】
内側シール面及び／または外側シール面は、シール空間の高さがねじ付きネックの方向へ小さくなるように軸方向に円錐状に先細になると特に効果的であり、このことにより、取り付け工程中にシール力が発生するが、取り付け工程中に発生したプレロード力はシール手段を介して伝達されなくなる。
【００１８】
固定手段は、ねじフランジに面する固定リングの前面に形成されたドライバポケットを有し、前記ドライバポケットは、ドライバポケット内でのドライバタブの嵌合状態の噛み合いにより、固定リングとねじ保護器とが特に簡単に同軸上で位置合わせされるように、ねじフランジに形成されたドライバタブと係合することが好ましい。
【００１９】
固定リングが、ドライバポケットに加えて、ねじフランジから固定リングに取り付け方向へのみトルクの伝達を許容する少なくとももう一つのドライバ要素を有する場合、トルクを複数の接触ポイントを介して固定リングに容易に伝達することが保証されるが、他のドライバ要素は取り外し方向に回す間にねじフランジを支持することができず、ねじフランジがねじ付きネックから取り外されているときにトルクがドライバポケットだけを介して伝達されるので、ドライバポケットを不正開封防止要素としても用いることが可能になる。
【００２０】
トルクを伝達するために、ドライバ要素は、ねじフランジに形成され且つ軸方向に延びるドライバウェブのウェブフランクと接触する径方向ストッパ面を有することが好ましい。
【００２１】
ドライバ要素が、ねじフランジに形成された適合する掛止要素と軸方向に掛止する掛止突起を有する場合、取り付け工程中に、固定リングをねじフランジに対して、径方向に固定できることに軸方向に固定できる。
【００２２】
固定リングに形成されたベース壁に所定の破断手段を介して接続される可視壁が設けられるように、ドライバポケットが不正開封防止要素として構成され、ドライバポケットを構成するように、ねじフランジのドライバタブのための受け入れスペースがベース壁と可視壁の間に形成されていると、特に効果的である。
【００２３】
好ましくは、可視壁は、所定の破断手段を介してベース壁に接続された少なくとも２つの可視壁部を有し、ねじフランジの取り外し方向の前方の可視壁部はドライバタブのためのストッパエッジを有し、取り外し方向の後方の可視壁部はねじフランジの、取り外し方向に後続するドライバウェブのためのストッパエッジを有する。
【００２４】
ねじフランジの回転の２段階動作で不正開封防止要素の完全な破壊を可能にする、不正開封防止要素のこの２部構成により、全体寸法が大きな可視壁を排除できるので、ねじ保護器の操作を遠くから明確に視認できる。
【図面の簡単な説明】
【００２５】
【図１】図１は、容器のねじ付きネックに取り付けられたねじ保護器の斜視図である。
【図２】図２は、図１に示されたねじ保護器の他の図である。
【図３】図３は、図１および図２に示されたねじ保護器を、ねじフランジに固定リングが配置された取り付け状態で示す図である。
【図４】図４は、図２に図示したねじ保護器を図２のIV−IV線に沿って示す部分断面図である。
【図５】図５は、図４の部分拡大図である。
【図６】図６は、容器のねじ付きネックに配置された固定リングを示す図である。
【図７】図７は、図６に示された固定リングの上面図である。
【図８】図８は、図６に示された固定リングを単独で示す図である。
【図９】図９は、図８に示された固定リングの斜視図である。
【発明を実施するための形態】
【００２６】
以下に、固定装置の好ましい実施形態を図面に基づいて詳細に説明する。
【００２７】
図１，図２及び図４に、プラスチック容器１２のねじ付きネック１１に取り付けられるねじ保護器１０が示されている。この種のプラスチック容器１２は、特に、中間バルク容器（ＩＢＣ）の内部容器として用いられ、この場合のプラスチック容器１２は輸送パレットに固定され、しばしばケージとして構成される保護シェル内に収容される。
【００２８】
特に、図３に示すように、ねじ付きネック１１はプラスチック容器１２の容器壁１３に配置され、容器壁１３のすぐ近くにカラー形状のネックベース１４を有し、その近傍にはねじ延長部１５が形成され、ねじ延長部１５は、ねじ保護器１０の保護器ハウジング２０の入口ネック１９に形成されたねじフランジ１８の内ねじ１７に締め付ける外ねじ１６を有する。
【００２９】
保護器ハウジング２０には、この場合はフラップバルブ２１として実現され且つバルブ軸２２に配置されたバルブフラップ２３を有するバルブが設けられ、前記バルブフラップ２３はバルブハンドル２４を有し、バルブハンドル２４は、このバルブハンドル２４によってバルブ軸２２をピボット動作させることにより、バルブフラップ２３が図３に示された閉位置から開位置(図示せず)に変位できるように、その端部が保護器ハウジング２０から突出している。保護器ハウジング２０の出口ネック２５には、ねじ保護器１１を汚れから保護するためにねじキャップ２６が設けられている。
【００３０】
図３は、保護器ハウジング２０に一体に且つ入口ネック１９と同じ材料で形成されたねじフランジ１８が、ねじフランジ１８から径方向に突出するドライバタブ２７を介して固定リング２８に接続された、取り付け形態のねじ保護器１０を示す。固定リング２８をねじフランジ１８のドライバタブ２７に接続するために、固定リング２８はドライバタブ２７が嵌合して係合するドライバポケット２９を有し、このことにより、固定リング２８は、取り付け中にねじ保護器１０と共にねじ付きネック１１に対して同心上に位置が揃えられ、ねじ付きネック１１に締め付けることのできるねじ保護器１０とで、取り付けユニットを形成する。
【００３１】
図３にさらに示されているように、保護器ハウジング２０には、ねじ保護器１０が入口ネック１９上で取り付け形態にあるときに入口ネック１９の外壁３２に配置されるＯリングシール３０が設けられ、前記外壁３２はネック端３１に向かって円錐状に先細になり、したがって取り付けユニットの他の要素を構成する。
【００３２】
図４は、ねじ付きネック１１に取り付けられた後の、プラスチック容器１２に接続された使用形態のねじ保護器１０を示し、この使用形態において、ねじフランジ１８は、所望の取り付け前負荷が得られるまでねじ付きネック１１の前端３５と接触するよう、入口ネック１９とねじフランジ１８の間に形成された環状のネック受け入れスペース３３の底部に形成された軸方向ストッパ３４に十分に締め付けられる。
【００３３】
図８及び図９から分かるように、固定リング２８にはその内周にロック手段３６が設けられ、前記ロック手段３６は、径方向内方を向く複数のロック突起３７を有し、ロック突起３７は、図示された実施形態では、さらに、半径ｒに対して取り外し方向３８に掛止角αで傾斜した向きとなっている。また、図３に示された取り付け位置においてねじフランジ１８に面する前面４０に、固定リング２８は、軸方向を向く２つのドライバ要素４１を有し、これらはそれぞれ、ドライバ端４２に、特に図２に示されているように、ねじフランジ１８のウェブエッジ４４に掛止する掛止突起４３を有する。
【００３４】
さらに、ドライバ要素４１は、ねじフランジ１８に形成されて軸方向にのびるドライバウェブ４７のウェブフランク４６に接触する径方向ストッパ面４５を有する。
【００３５】
図３に示されたねじ保護器１０の取り付け形態において、固定リング２８は、ねじフランジ１８のドライバタブ２７が固定リング２８のドライバポケット２９に受け入れられるとともに図２にも示されているようにドライバ要素４１に掛止することにより、ねじフランジ１８に対して径方向と軸方向の両方に相対位置が定められる。このことにより、固定リング２８とねじ保護器１０とが、対応して同軸上に配置され、ねじ保護器１０を、固定リング２８とともに、そして保護器ハウジング２０の入口ネック１９に装着されたＯリングシール３０とともに、取り付けユニットとしてネック受け入れスペース３３内でねじ付きネック１１に締め付けることができる。
【００３６】
図３に示されているように、ねじ付きネック１１のネックベース１４にはストッパ手段４８が設けられ、ストッパ手段４８は、この場合には、ネックベース１４の周方向に分散されて配置された、掛止傾斜部４９としての４つの掛止突起を有する。掛止傾斜部４９は、ネックベース１４の外周から起ち上がって掛止面５１と掛止肩部を形成する傾斜面５０を有する。
【００３７】
固定リング２９のロック手段３６とねじ付きネック１１に形成されたストッパ手段４８の相互作用を説明するために、ねじ付きネック１１に配置された固定リング２８をねじ保護器１１とは別の図で示す図６，図７から分かるように、固定リング２８のロック突起３７のロック端５２は、ねじ付きネック１１に形成された外ねじ１６の直径ｄよりも大きい直径Ｄのロック円周５３に配置されている。このことにより、ねじ保護器１０に装着された固定リング２８が、固定リング２８のロック突起３７が外ねじ１６のねじ山５４に衝突してねじ付きネック１１に対するねじ保護器１０の締め付けに必要な同軸位置合わせに影響することなく、ねじ保護器１０と一緒にねじ付きネック１１に締め付けられる取り付けユニットを形成することが可能になる。
【００３８】
図３に示すように、図示された実施形態では、ストッパ手段４８は、ストッパ手段４８とねじ付きネック１１の前端３５との間の距離がねじ付きネック１１の長さｌに実質的に等しくなるように配置された掛止傾斜部４９を有する。ねじ付きネック１１の長さｌと外ねじ１６の構造、すなわち特にねじ山５４の開始点の径方向位置とねじ山５４のピッチ、そして固定リング２８のロック円周５３上のロック端５２の位置に対するストッパ手段４８の掛止面５１の位置は、図４に示すように、保護器ハウジング２０の軸方向ストッパ３４がねじ付きネック１１の前端３５と接触するときに、保護器ハウジング２０がねじ付きネック１１に所定のプレロード力で接触しながら、固定リング２８のロック手段３６のロック端５２が掛止面５１の後方に弾性的に掛止するように選択される。
【００３９】
したがって、固定リング２８がストッパ手段４８に一旦掛止すると、保護器ハウジング２０からねじ付きネック１１へプレロード力を伝達することが保証される。
【００４０】
図４，図５，図６から分かるように、径方向に作用するシール手段５５を形成するため、入口ネック１９の外壁３２によって形成された内側シール面５６と、ねじ付きネック１１の内壁５７によって形成された外側シール面５８とが設けられ、シール空間５９が径方向に区画される。Ｏリングシール３０を受けるシール空間５９を軸方向に区画するため、前端３５の内側開口縁に周方向凹部６０が形成され、シール面５９を軸方向に区画するとともに前端３５に形成されたストッパ面６１に対して軸方向にくぼみ、ネック受け入れスペース３３の軸方向ストッパ３４と接触する区画面６２が凹部６０によって形成されるようになっている。
【００４１】
この場合、径方向のシール効果をサポートするため、ねじ付きネック１１の内壁５７によって形成される外側シール面５８は、シール空間５９の高さがねじ保護器１０の取り付け方向３９へ小さくなるように軸方向へ円錐状に先細になっている。
【００４２】
特に図９に示されているように、ドライバポケット２９を不正開封防止要素として構成するため、固定リング２８に形成されたベース壁６３は、ベース壁６３の反対側に配置された可視壁６４に、所定の第１破断手段６６と所定の第２破断手段６７を介して接続され、ドライバポケット２９の受け入れスペース６５を形成するために、ベース壁６３と可視壁６４の間に、対応する軸方向距離ａが設けられる。
【００４３】
さらに、図９に示すように、可視壁６４は、別の所定の破断手段６８を介して互いに接続される２つの可視壁部６９，７０を有する。図１から最もよく分かるように、不正開封防止要素を実現するドライバタブ２７は、ねじ保護器１０が取り外し方向３８に回されると、まず前面の可視壁部６９に形成されたストッパエッジ７１がドライバタブ２７に引っかかるために破断され、取り外し方向３８に回されたときにドライバタブ２７はドライバポケット２９の径方向凹部７２を貫通し、所定の破断手段６６の接続ウェブ７３，７４と、所定の破断手段６８の接続ウェブ７５，７６が破断され、前面の可視壁部６９が固定リング２８から外れることになる。ねじ保護器１０がさらに取り外し方向３８に回されると、第２の可視壁部６９に形成されたストッパエッジ７８が、ドライバタブ２７に続いてねじフランジ１８のドライバウェブ４７に引っかかり、所定の破断手段６６の接続ウェブ７９，８０，８１，８２が破断され、第２可視壁部６９も固定リング２８から外れることになる。
【図１】
2021519733.tif 000003
【図２】
2021519733.tif 000004
【図３】
2021519733.tif 000005
【図４】
2021519733.tif 000006
【図５】
2021519733.tif 000007
【図６】
2021519733.tif 000008
【図７】
2021519733.tif 000009
【図８】
2021519733.tif 000010
【図９】
2021519733.tif 000011
【国際調査報告】
2021519733.tif 000012
2021519733.tif 000013
2021519733.tif 000014
2021519733.tif 000015